(57)【要約】      （修正有）【課題】室外側からの光を所望の向きに方向転換させることができ、かつ、内部の結露を抑制できる採光シート、およびそれを用いた採光具を提供する。【解決手段】採光シートは、光透過性基材１１と、光透過性基材の第１主面１１ａ側の第１主面に平行な第１方向に延在し、かつ、第１主面と平行で第１方向と交差する第２方向に沿って複数配置された単位プリズム１２と、を備え、複数配置された単位プリズムのうち、第１単位プリズムおよび隣接する第２単位プリズムに跨る第１仕切部１７を備え、第１仕切部は第１単位プリズムおよび第２単位プリズムによって形成される第１溝部１８を部分的に塞ぐように、第１溝部の一方を形成する第１斜面の一部と、第１溝部の他方を形成する第２斜面の一部と、の両方に当接している。【選択図】図１
2020052304.tif 000002
【特許請求の範囲】
【請求項１】
第１主面および前記第１主面と対向する第２主面を有する光透過性基材と、
前記光透過性基材の前記第１主面側であって前記第１主面に平行な第１方向に延在し、かつ、前記第１主面と平行であって前記第１方向と交差する第２方向に沿って複数配置された単位プリズムと、を備えた採光シートであって、
前記複数配置された単位プリズムのうち、第１単位プリズムおよび当該第１単位プリズムと隣接する第２単位プリズムに跨る第１仕切部を備え、
前記採光シートを前記第１方向から見たときに、前記第１仕切部は、前記第１単位プリズムおよび前記第２単位プリズムによって形成される第１溝部を部分的に塞ぐように、前記第１溝部の一方を形成する前記第１単位プリズムの斜面である第１斜面の一部と、前記第１溝部の他方を形成する前記第２単位プリズムの斜面である第２斜面の一部と、の両方に当接している、採光シート。
【請求項２】
前記採光シートを前記第１主面の法線方向から見たときに、前記第１方向に沿って隣接する前記第１仕切部どうしの間隔は、前記採光シートの端部に近いほど短く、前記採光シートの中央部に近いほど長い、請求項１に記載の採光シート。
【請求項３】
前記採光シートを前記第１主面の法線方向から見たときに、前記第１仕切部の前記第１方向に沿った厚みは、前記採光シートの両端部に近い位置に配置された前記第１仕切部ほど厚く、前記採光シートの中央部に近い位置に配置された前記第１仕切部ほど薄い、請求項１または請求項２に記載の採光シート。
【請求項４】
前記採光シートを前記第１主面の法線方向から見たときに、前記第１仕切部は、前記採光シートの両端部付近にのみ配置されている、請求項１に記載の採光シート。
【請求項５】
前記採光シートを前記第１主面の法線方向から見たときに、前記第１仕切部は、前記第１方向に垂直な平面に対して傾いて配置されている、請求項１から請求項４のいずれか一項に記載の採光シート。
【請求項６】
前記採光シートは、前記複数配置された単位プリズムのうち、前記第２単位プリズムおよび当該第２単位プリズムと隣接する、前記第１単位プリズムとは反対側に配置された第３単位プリズムに跨る第２仕切部、をさらに備え、
前記採光シートを前記第１方向から見たときに、前記第２仕切部は、前記第２単位プリズムおよび前記第３単位プリズムによって形成される第２溝部を部分的に塞ぐように、前記第２溝部の一方を形成する前記第２単位プリズムの斜面である第３斜面の一部と、前記第２溝部の他方を形成する前記第３単位プリズムの斜面である第４斜面の一部と、の両方に当接しており、
前記採光シートを前記第２方向から見たときに、前記第１仕切部と前記第２仕切部とは互いに重ならない位置に配置されている、請求項１から請求項５のいずれか一項に記載の採光シート。
【請求項７】
前記採光シートの前記第１単位プリズムおよび前記第２単位プリズムのいずれかの単位プリズムは、前記第１主面からの距離がもっとも大きい第１距離となる頂部である第１頂部と、
前記第１主面からの距離が前記第１距離と同じかまたはこれより小さい第２距離となる頂部である第２頂部と、をさらに備えている、請求項１から請求項６のいずれか一項に記載の採光シート。
【請求項８】
前記採光シートを前記第１方向から見たときに、前記第１頂部および前記第２頂部に挟まれて形成された溝部を第３溝部とすると、前記第３溝部を部分的に塞ぐように、前記第３溝部の一方を形成する前記いずれかの単位プリズムの斜面である第５斜面の一部と、
前記第３溝部の他方を形成する前記いずれかの単位プリズムの斜面である第６斜面の一部と、の両方に当接している第３仕切部、をさらに備える、請求項７に記載の採光シート。
【請求項９】
透明基材と、
前記透明基材の一方の側に配置された接着層と、
前記接着層および前記複数配置された単位プリズムが当接する配置で、前記接着層を介して前記透明基材に固定された請求項１から請求項８のいずれか一項に記載の採光シートと、を備えた採光具。
【発明の詳細な説明】
【技術分野】
【０００１】
本開示は、採光シート、および採光具に関する。
【背景技術】
【０００２】
窓に入射する太陽光を、太陽光が直接入射しにくい天井等に導くことにより、自然光を屋内の間接照明に利用する方法が提案されている。例えば、光透過性を有する基材の一方の面に、光透過性を有する同一断面形状の突起部を複数配列させ、当該複数の突起部を挟んで基材とは反対側に、光透過性を有する保護部材を備えた採光フィルムが提案されている。
【先行技術文献】
【特許文献】
【０００３】
【特許文献１】国際公開公報  ＷＯ２０１４／１９６５９６
【発明の概要】
【発明が解決しようとする課題】
【０００４】
一般的に、プリズムを形成する突起形状が複数、繰り返し形成された凹凸構造部の両面を透明シートで挟み込んだ採光シートは、構造が簡単なため比較的低コストで生産が可能であり、太陽からの入射光を所定角度に反射または屈折させることにより、室内の天井その他、外光が入り難い箇所に光を効率よく取り入れることができることから、窓ガラスに貼り付けたり、ロールカーテンに組み込む等して使用されている。
【０００５】
このような採光シートは、プリズムを形成する凹凸構造部と透明シートとの間に形成される空隙と、当該凹凸構造部との屈折率の差を利用して、両者の界面で入射光を反射または屈折させるものであるが、通常、この凹凸形状は凹部または凸部のそれぞれが水平方向に延びる形態であるため、当該採光シートの左右の端部には、凹凸構造部と透明シートとの間の空隙により開口が形成されている。すなわち当該空隙は開口により外気と通じている。このため、この採光シートを窓ガラスに貼った際、室外と室内の気温差が大きい場合、凹凸構造部と空隙の界面で結露することがある。このような結露が頻繁に起きると、採光シートの耐久性が低下し、凹凸構造部と透明シートとの接着力が低下して剥がれたり、微小な水滴が凹凸構造部の表面に形成されることによって、入射光の不規則な屈折や反射が起きてしまい、想定していた採光効果が得られなくなるおそれがある。また、施工時の水貼り（ガラスに水を吹きかけてから貼り、スキージで水をしごく。乾燥するとガラスとフィルムが密着する）の際に、フィルム端部に水が浸入し、上記と同様の剥がれや採光効果の低下が懸念される。
【０００６】
このような採光シートの凹凸構造部と透明シートとの間の結露を防止するため、例えば、窓ガラスに採光シートを貼る際に、当該採光シートの両端部の上下方向に沿ってシール処理を施すことがある。すなわち、当該採光シートの左右端部の開口をシール剤で埋める施工をしたりシールテープを貼ることによって、内部の空隙を外気と隔絶し密封する。しかしながら、このように窓等への貼り付け時にシール加工やシールテープで貼り付けを行うと、作業時の環境条件や作業者の力量、シール剤やシールテープの使用時の品質状態等によって密封効果や耐久性にばらつきが生じやすく、安定した採光シート内部の気密性確保が難しく、内部の結露による耐久性や採光性能の維持が図れないおそれがあった。
【０００７】
本発明は、室外側からの光を所望の向きに方向転換させることができ、かつ、内部の結露を抑制できる採光シートを提供することを課題とする。また、当該採光シートを用いた採光具を提供することを課題とする。
【課題を解決するための手段】
【０００８】
本開示は、第１主面および前記第１主面と対向する第２主面を有する光透過性基材と、
前記光透過性基材の前記第１主面側であって前記第１主面に平行な第１方向に延在し、かつ、前記第１主面と平行であって前記第１方向と交差する第２方向に沿って複数配置された単位プリズムと、を備えた採光シートであって、前記複数配置された単位プリズムのうち、第１単位プリズムおよび当該第１単位プリズムと隣接する第２単位プリズムに跨る第１仕切部を備え、前記採光シートを前記第１方向から見たときに、前記第１仕切部は、前記第１単位プリズムおよび前記第２単位プリズムによって形成される第１溝部を部分的に塞ぐように、前記第１溝部の一方を形成する前記第１単位プリズムの斜面である第１斜面の一部と、前記第１溝部の他方を形成する前記第２単位プリズムの斜面である第２斜面の一部と、の両方に当接している、採光シートである。
【０００９】
前記採光シートを前記第１主面の法線方向から見たときに、前記第１方向に沿って隣接する前記第１仕切部どうしの間隔は、前記採光シートの端部に近いほど短く、前記採光シートの中央部に近いほど長くてもよい。
【００１０】
前記採光シートを前記第１主面の法線方向から見たときに、前記第１仕切部の前記第１方向に沿った厚みは、前記採光シートの両端部に近い位置に配置された前記第１仕切部ほど厚く、前記採光シートの中央部に近い位置に配置された前記第１仕切部ほど薄くてもよい。
【００１１】
前記採光シートを前記第１主面の法線方向から見たときに、前記第１仕切部は、前記採光シートの両端部付近にのみ配置されていてもよい。
【００１２】
前記採光シートを前記第１主面の法線方向から見たときに、前記第１仕切部は、前記第１方向に垂直な平面に対して傾いて配置されていてもよい。
【００１３】
前記採光シートは、前記複数配置された単位プリズムのうち、前記第２単位プリズムおよび当該第２単位プリズムと隣接する、前記第１単位プリズムとは反対側に配置された第３単位プリズムに跨る第２仕切部、をさらに備え、前記採光シートを前記第１方向から見たときに、前記第２仕切部は、前記第２単位プリズムおよび前記第３単位プリズムによって形成される第２溝部を部分的に塞ぐように、前記第２溝部の一方を形成する前記第２単位プリズムの斜面である第３斜面の一部と、前記第２溝部の他方を形成する前記第３単位プリズムの斜面である第４斜面の一部と、の両方に当接しており、前記採光シートを前記第２方向から見たときに、前記第１仕切部と前記第２仕切部とは互いに重ならない位置に配置されていてもよい。
【００１４】
前記採光シートの前記第１単位プリズムおよび前記第２単位プリズムのいずれかの単位プリズムは、前記第１主面からの距離がもっとも大きい第１距離となる頂部である第１頂部と、前記第１主面からの距離が前記第１距離と同じかまたはこれより小さい第２距離となる頂部である第２頂部と、をさらに備えていてもよい。
【００１５】
前記採光シートを前記第１方向から見たときに、前記第１頂部および前記第２頂部に挟まれて形成された溝部を第３溝部とすると、前記第３溝部を部分的に塞ぐように、前記第３溝部の一方を形成する前記いずれかの単位プリズムの斜面である第５斜面の一部と、前記第３溝部の他方を形成する前記いずれかの単位プリズムの斜面である第６斜面の一部と、の両方に当接している第３仕切部、をさらに備えていてもよい。
【００１６】
透明基材と、前記透明基材の一方の側に配置された接着層と、前記接着層および前記複数配置された単位プリズムが当接する配置で、前記接着層を介して前記透明基材に固定された前記採光シートと、を備えた採光具であってもよい。
【発明の効果】
【００１７】
本開示により、室外側からの光を所望の向きに方向転換させることができ、かつ、内部の結露を抑制できる採光シートを提供することができる。また、当該採光シートを用いた採光具を提供することができる。
【図面の簡単な説明】
【００１８】
【図１】第１実施形態の採光シートにおける主要部の一例の構造を説明する斜視図である。
【図２】第１実施形態の採光シートの主要部の構造を説明する正面図および断面図である。
【図３】第１実施形態の採光シートを用いた採光具を説明する断面図および正面図である。
【図４】従来技術の採光シートにおける主要部の構造を説明する斜視図である。
【図５】従来技術の採光シートを用いた採光具を説明する側面図および正面図である。
【図６】第１実施形態の採光シートの変形例（１）を説明する斜視図および正面図である。
【図７】採光シートの変形例（２）を説明する斜視図および正面図である。
【図８】採光シートの変形例（３）を説明する斜視図および正面図である。
【図９】採光シートの変形例（４）を説明する斜視図および正面図である。
【図１０】採光シートの変形例（５）を説明する斜視図および正面図である。
【図１１】採光シートの変形例（６）を説明する斜視図である。
【図１２】採光シートの変形例（６）を説明する正面図および断面図である。
【図１３】変形例（１）（２）（３）（４）の採光シートを用いた採光具を説明する側面図である。
【図１４】変形例（５）（６）の採光シートを用いた採光具を説明する側面図である。
【発明を実施するための形態】
【００１９】
以下、図面等を参照して、本開示の採光シート、採光具等の一例について説明する。ただし、本開示の採光シート、採光具等は、この例や後述する実施形態に限定されない。
【００２０】
以下に示す各図は模式的に示したものであり、各部の大きさ、形状は理解を容易にするために適宜誇張している。また、各図において部材の断面を示すハッチングを適宜省略する。本明細書中に記載する各部材の寸法等の数値および材料名は実施形態としての一例であり、これに限定されるものではなく適宜選択して使用することができる。本明細書において形状や幾何学的条件を特定する用語、例えば平行や直交、垂直等の用語については、厳密に意味するところに加え、実質的に同じ状態も含むものとする。
【００２１】
１．第１実施形態
（ａ）採光シートの主要部
図１は、本開示の第１実施形態の採光シートの一例を示すための図であり、採光シート１０の主要な部分を抜き出した採光シートの主要部１０ａを説明するための概略的な斜視図である。採光シートの主要部１０ａは、光透過性基材１１と、当該光透過性基材１１の２つの主面である第１面１１ａおよび第２面１１ｂのうち、第１面１１ａの側に形成された複数の単位プリズム１２と、当該複数の互いに隣接する単位プリズム１２の間を跨ぐように配置された仕切部１７と、から構成されている。ここで、光透過性基材１１の主面である第１面１１ａの法線方向にＸ軸をとり、光透過性基材１１の主面に平行であって、かつ、単位プリズム１２が延在する方向にＹ軸をとり、光透過性基材１１の主面に平行であって、かつ、単位プリズム１２が繰り返し配列される方向にＺ軸をとる。
【００２２】
また、Ｘ軸において光透過性基材１１に単位プリズム１２が隣接する側、すなわち第１面１１ａに向く側を＋Ｘ方向とし、その反対方向を−Ｘ方向とする。＋Ｘ方向および／または−Ｘ方向を単にＸ方向と称する場合がある。また、＋Ｘ方向を手前側、−Ｘ方向を奥側と称する場合がある。また、当該採光シートの主要部１０ａを外光を入射させるための正しい位置に配置したとき、＋Ｘ方向から見た際のＺ軸の外光が入射する側に近い方向を＋Ｚ方向とし、その反対方向を−Ｚ方向とする。＋Ｚ方向および／または−Ｚ方向を単にＺ方向と称する場合がある。また、＋Ｚ方向を上方側、−Ｚ方向を下方側と称する場合がある。また、Ｙ軸を回転軸として＋Ｚ方向から＋Ｘ方向に向けてＺＸ平面を回転させた場合に右ねじが進む方向に近い方向を＋Ｙ方向とし、その反対方向を−Ｙ方向とする。＋Ｙ方向および／または−Ｙ方向を単にＹ方向と称する場合がある。また、＋Ｙ方向を右側、−Ｙ方向を左側と称する場合がある。Ｘ方向は前後方向、Ｙ方向は左右方向または水平方向、Ｚ方向は上下方向と称することもある。
【００２３】
なお、本開示においては、Ｘ軸、Ｙ軸およびＺ軸がそれぞれ略直交している場合について例示しているが、単位プリズム１２が延在する方向と複数の単位プリズム１２が繰り返し配列される配列方向とが略直交していなくてもよく、Ｘ軸、Ｙ軸およびＺ軸が互いに略直交していなくてもよい。
【００２４】
図２は、本実施形態の採光シートの主要部１０ａの構造を説明するための正面図および断面図である。図２（ａ）は、図１に示す採光シートの主要部１０ａを、＋Ｘ方向から見た正面図である。また、図２（ｂ）は、図２（ａ）において仕切部１７が存在しない領域であるＡ−Ａ断面について、これを＋Ｙ方向から見た断面図であり、図２（ｃ）は、図２（ａ）において仕切部１７が存在する領域であるＢ−Ｂ断面について、これを＋Ｙ方向から見た断面図である。
【００２５】
図２（ｂ）に示すように、単位プリズム１２は、Ｙ軸に平行な面で切断したときの断面形状が略三角形であり、これが光透過性基材１１の第１面１１ａ側にＺ方向に沿って４個配置されている。当該図面は、あくまで採光シートの構造を示すための模式的な概略図であり、実際の採光シートではこのような微細な単位プリズム構造が多数個配列されているのが通常である。
【００２６】
また、図２（ｂ）に示すように、複数の単位プリズム１２が形成する隙間である溝部１８には、図２（ａ）、（ｃ）に示すように、Ｙ方向に沿った一定間隔ごとにハッチングされた仕切部１７が配置されている。仕切部１７は、Ｚ方向に沿って隣接する二つの単位プリズム１２に跨っており、これら二つの単位プリズム１２によって形成される溝部１８を塞ぐように、かつ、各仕切部１７がＺ方向に沿って並ぶように配置されている。仕切部１７は、断面形状が略三角形である。
【００２７】
図３は、上述した採光シートの主要部１０ａの＋Ｘ方向側と−Ｘ方向側とにそれぞれ粘着層１３、基材１９および粘着層１３から構成される積層部分と光拡散層１５とが積層された採光シート１０の一例と、これをさらに窓ガラス１０１に対して採光シート１０の粘着層１３を当接させて貼り付けた採光具１００の一例と、を示す断面図および正面図である。図３（ａ）および図３（ｂ）は、それぞれ図２（ａ）のＡ−Ａ断面およびＢ−Ｂ断面に対応する採光具１００を＋Ｙ方向から見た断面図であり、図３（ｃ）は、当該採光具１００を窓ガラス１０１側である＋Ｘ方向から見た平面図である。
【００２８】
本実施形態の採光シート１０を用いた採光具１００は、図３（ａ）に示すとおり、＋Ｘ方向の上方すなわち＋Ｚ方向から斜め下方に入射する外光の入射光Ｌｉｎについて窓ガラス１０１と、粘着層１３、基材１９および粘着層１３を通過させ、さらに採光シートの主要部１０ａの単位プリズム１２を通過させた後、その下方側の斜面１２ｂで反射させ、光透過性基材１１、接着層１４および光拡散層１５を通過させて出射光Ｌｏｕｔを室内の上方に向けて出射させる。単位プリズム１２の斜面１２ｂは、単位プリズム１２と空隙１６との界面であり、両者の屈折率差によって入射光を反射させることができる。
【００２９】
粘着層１３と隣接する二つの単位プリズム１２との間に形成されている空隙１６には、上述したとおり、隣接する二つの単位プリズム１２に跨っており、これら二つの単位プリズム１２によって形成される溝部１８を塞ぐように、所定の間隔で仕切部１７が配置されている。よって、Ｙ方向側で仕切部１７が存在する箇所における断面図である図３（ｂ）に示されるように、仕切部１７がある箇所では隣接する二つの単位プリズム１２が形成する空隙１６は、仕切部１７の外周の３辺がそれぞれ単位プリズム１２の斜面１２ａおよび１２ｂと、粘着層１３とに当接することで密閉されているため、Ｙ方向に沿って配置された２箇所の仕切部１７に挟まれた区間に存在する空隙１６は、外気とは隔絶されている。
【００３０】
これにより、本実施形態の採光シートの主要部１０ａを含む採光シート１０を用いた採光具１００では、図３（ｃ）に示すように、Ｙ方向に沿って延在し、Ｚ方向に沿って複数列が配置された単位プリズム１２において、上下に隣接する二つの単位プリズム１２に跨る仕切部１７が、Ｙ方向に沿った一定間隔ごとに配置されていることにより、Ｙ方向に隣接する二つの仕切部１７に囲まれた空隙１６は密閉されており、他の仕切部１７に囲まれた空隙１６とは隔絶され、外気とも隔絶されていることとなる。したがって、当該採光具１００が、外気と室内との温度差が大きい環境に設置されたとしても、当該空隙に水分が侵入することが抑制され、結露が発生し難くなり、採光シートや採光具の耐久性が高められ、結露に起因する採光性能の低下を抑制することができる。
【００３１】
次に、採光シートの主要部１０ａの各部の詳細を説明する。
【００３２】
（ｉ）光透過性基材
光透過性基材１１は、基材と称されるものに限らず、シート、板材、フィルムと称されるものや可撓性を十分に有するものおよび可撓性をほとんど有しないものをも含むものであって、光学的に透過性があり、光学的に透明であってもよく、これに加えて、特定波長の光のみを透過または反射させたり、光を偏向または拡散させたりする付加的な光学的効果をも生じさせるものであってもよい。光学的に透過性があるということは、人が肉眼で見たときに透明に見えることを指し、光学的に透明であるということは、可視光スペクトルの約３８０〜７００ｎｍにおいて、約９０％程度の視感透過率を有するとともに、約２％未満のヘイズを有することを指す。視感透過率およびヘイズは、例えばＡＳＴＭ−Ｄ  １００３−９５に準拠して決定することが可能である。光透過性基材としては、例えば、アクリル、スチレン、ポリオレフィン、ポリイミド、ポリエステル、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）やガラス等を挙げることができる。
【００３３】
光透過性基材１１の厚みは特に限定されず、例えば２５〜３００μｍ程度とすることができるが、当該光透過性基材１１の一方の主面に形成する複数の単位プリズム１２の形成加工やこれを支持するための耐久性、当該光透過性基材１１を途中で巻き取る等の搬送、加工適性等を考慮して適切な厚みを選択すべきである。
【００３４】
（ｉｉ）単位プリズム
図２（ｂ）に記載のとおり、光透過性基材１１は二つの主面として＋Ｘ方向側の第１面１１ａと−Ｘ方向側の第２面１１ｂとを備える。単位プリズム１２は、光透過性基材１１の主面のひとつである第１面１１ａの側に、Ｙ方向に延在するように、すなわちＹ軸に垂直な平面で切ったときの断面形状が同じとなるように配置されている。本実施形態では、当該断面形状が略三角形となっており、その１辺が第１面１１ａと平行であり、残りの２辺が、頂部１２ｃと底部１２ｄとを結ぶ＋Ｚ方向側の斜辺を形成する斜面１２ａ、および、頂部１２ｃと底部１２ｄとを結ぶ−Ｚ方向側の斜辺を形成する斜面１２ｂである。なお、頂部１２ｃはＹ方向に沿って稜線を形成し、底部１２ｄはＹ方向に沿って谷線を形成する。
【００３５】
単位プリズムとは、ある角度から入射された入射光を、別のある角度に出射するように、屈折、反射、分散などにより方向転換する機能を有する光学素子の基本単位を指し、単に凹凸部、突起部と称されたり、プリズム要素と称されることもある。単位プリズムの延在方向軸に垂直な平面で切った断面の断面形状は、上記のような略三角形に限るものではなく、例えば、三角形の、基材からもっとも遠い距離にある頂点が二股に分岐した形状、台形、平行四辺形、多角形、楕円形、曲線で囲まれた図形、または直線と曲線の両方によって囲まれた図形等、様々な形状をとることができる。
【００３６】
本実施形態の採光シートの主要部１０ａでは、光透過性基材１１の第１面１１ａ側に当該単位プリズム１２がＺ方向に沿って複数個、繰り返し配列されているが、各々の単位プリズム１２の断面形状が、必ずしもすべて同じである必要はなく、それぞれが異なる断面形状であってもよい。
【００３７】
単位プリズム１２は、光透過性基材１１と同一材料で形成されていてもよく、光透過性基材１１とは異なる材料で形成されていてもよい。単位プリズム１２を形成する材料は特に限定されることはないが、例えば、アクリル、スチレン、ポリカーボネート、ポリオレフィン、ポリエチレン、ポリプロピレン、ポリ塩化ビニル、ポリエチレンテレフタレート、ポリアミド、酢酸アセテート、エチルセルロース、アクリロニトリル等の一以上を主成分とする透明樹脂や、エポキシアクリレートやウレタンアクリレート系の反応性樹脂（電離放射線硬化型樹脂等）を挙げることができる。また、単位プリズム１２は、塑性剤、安定剤、充填剤、抗酸化剤などのポリマー材料に加えて、例えば、紫外線吸収剤やヒンダードアミン系光安定剤などの安定剤を含んでもよい。
【００３８】
単位プリズム１２の弾性率は２０００ＭＰａより小さいことが好ましい。これにより巻いたり、巻き戻したりする際に割れが生じる可能性を低減させることができる。ただし、単位プリズム１２の弾性率が２０００ＭＰａより大きくてもよい。
【００３９】
光透過性基材１１の第１面１１ａの上に、単位プリズム１２が規則的に繰り返し配列された構造体を形成するには、射出成型加工、レーザー加工、型押しおよび硬化による方法、ディスペンス法など、様々な方法を単独で、または、適宜組み合わせて行うことができる。
【００４０】
例えば射出成型加工は、特定の凹凸パターンが形成された金型内に、光透過性基材１１をセットし、これの第１面１１ａ側の金型内に高温高圧の樹脂を注入後、冷却することにより樹脂を硬化させ、金型に形成されたパターンの逆形状のパターンである単位プリズム１２の形状が転写された構造体を得ることができる。また、型押しおよび硬化による方法は、例えば、光透過性基材１１の第１面１１ａの上に均一な厚みになるように樹脂を塗布し、この上に、あらかじめ凹凸パターンが形成された金型冶具を押し当てながら、熱硬化性樹脂である場合は金型冶具が加熱されることにより、また、光硬化型樹脂である場合には、所定波長の光を光透過性基材１１の第２面１１ｂ側から当該樹脂に照射することにより、当該樹脂を硬化させて、金型冶具に形成されたパターンの逆形状のパターンである単位プリズム１２の形状が転写された構造体を得ることができる。
【００４１】
特に、型押しおよび硬化による方法は、あらかじめ凹凸パターンが形成された金型ロール冶具を、均一な厚みになるように光硬化性樹脂が第１面１１ａの上に塗布された光透過性基材１１に押し当てながら搬送し、所定の光を光透過性基材１１の第２面１１ｂ側から当該樹脂に照射することにより、当該光硬化性樹脂を硬化させて、金型ロールに形成されたパターンの逆形状のパターンである単位プリズム１２の形状が繰り返し転写された構造体を連続的に形成し、その後、離型ロールによって金型ロールから当該構造体を離型する方法が好ましい。このような製造方法は、光透過性樹脂１１に、単位プリズム１２が繰り返し形成された構造体を連続的に長尺のロールとして製造することができる点で量産性に優れている。
【００４２】
ここで、単位プリズム１２を構成する組成物としては、上述したものが好ましいが、さらに具体的には次の通りである。すなわち、光硬化型プレポリマー（Ｐ１）に、反応性希釈モノマー（Ｍ１）及び光重合開始剤（Ｉ１）を配合した光硬化型樹脂組成物を用いることができる。
【００４３】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーをあげることができる。また、上記反応性希釈モノマー（Ｍ１）としては、例えば、ビニルピロリドン、２−エチルヘキシルアクリレート、β−ヒドロキシアクリレート、テトラヒドロフルフリルアクリレート等をあげることができる。また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等があげられる。これらの中から、光硬化型樹脂組成物を硬化させるための照射装置及び光硬化型樹脂組成物の硬化性から任意に選択することができる。なお、単位プリズム１２の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。これらの光硬化型プレポリマー（Ｐ１）、反応性希釈モノマー（Ｍ１）及び光重合開始剤（Ｉ１）は、それぞれ、１種類で、又は２種以上を組み合わせて用いることができる。
【００４４】
単位プリズム１２のＺ方向に沿った配列のピッチは１０〜２００μｍの範囲であることが好ましい。ピッチが１０μｍより小さいと製造の困難があり、一方、ピッチが２００μｍより大きくなると金型を製造する際の切削性、金型により単位プリズムを成型する際の成型性、および、金型離型性が悪く、製造上の不具合が生じる可能性があるからである。また、単位プリズム１２の光透過性基材１１の第１面１１ａと接している部分の幅は、５〜１５０μｍであることが好ましい。当該幅が５μｍより小さいと製造の困難があり、一方、当該幅が１５０μｍより大きくなると金型を製造する際の切削性、金型により単位プリズムを成型する際の成型性、および、金型離型性が悪く、製造上不具合が生じる可能性があるからである。また、単位プリズム１２の高さ、すなわち単位プリズム１２の光透過性基材１１の第１面１１ａからの距離がもっとも長い頂点までの長さは１０〜２００μｍであることが好ましい。１０μｍより小さいと光学的な性能が不十分であったり、単位プリズムの加工が微細となり精度が低下するおそれがあり、一方、２００μｍより厚いと単位プリズムを成型するに際して金型からの離型性に問題が生じるおそれがあるためである。
【００４５】
（ｉｉｉ）仕切部
仕切部１７は、図２（ａ）、（ｃ）に示すとおり、Ｚ方向に隣接する二つの単位プリズム１２どうしに跨って、当該二つの単位プリズム１２が形成する凹状の隙間である溝部１８を部分的にあるいは全体的に塞ぐように形成されている。仕切部１７は、Ｙ方向に沿って等間隔に、Ｚ方向に沿って並ぶように配置されているが、後述するように、仕切部１７の配置位置や配置数はこれに限定されず任意である。また、仕切部１７のＹ軸に垂直な平面で切った断面の断面形状は、略三角形であるが、溝部１８の形状によって異なる形状ともなり得る。仕切部１７の断面の略三角形の２辺が、それぞれ単位プリズム１２の頂部１２ｃと底部１２ｄとを結ぶ＋Ｚ方向側の斜面１２ａ、および、頂部１２ｃと底部１２ｄとを結ぶ−Ｚ方向側の斜面１２ｂ、の両方に接しており、この領域にはＸＺ平面における隙間が開いていない状態である。これにより、単位プリズム１２の透過性基材１１とは反対側である＋Ｘ方向側に、図３（ｂ）に示すような粘着層１３、基材１９および粘着層１３等が積層されることにより、Ｙ方向に沿って一定間隔で配置された二つの仕切部１７に挟まれた空隙１６は密閉され、他の二つの仕切部１７に挟まれた空隙１６とは隔絶され、採光具１００の周囲の外気とも隔絶されることになる。
【００４６】
このように、仕切部１７は、隣接する単位プリズム１２どうしが形成する溝部１８を部分的にまたは全体的に塞ぐことによって、採光シート１０や採光具１００として使用する場合に、単位プリズム１２どうしが形成する空隙１６を密閉する役割を果たすものである。
【００４７】
仕切部１７は、単位プリズム１２と同一材料で形成されていてもよく、単位プリズム１２とは異なる材料で形成されていてもよい。仕切部１７を形成する材料は特に限定されることはないが、例えば、単位プリズム１２と同様に、アクリル、スチレン、ポリカーボネート、ポリオレフィン、ポリエチレン、ポリプロピレン、ポリ塩化ビニル、ポリエチレンテレフタレート、ポリアミド、酢酸アセテート、エチルセルロース、アクリロニトリル等の一以上を主成分とする透明樹脂や、エポキシアクリレートやウレタンアクリレート系の反応性樹脂（電離放射線硬化型樹脂等）を挙げることができる。また、塑性剤、安定剤、充填剤、抗酸化剤などのポリマー材料に加えて、例えば、紫外線吸収剤やヒンダードアミン系光安定剤などの安定剤を含んでもよい。
【００４８】
仕切部１７を形成するには、単位プリズム１２を形成するのと同様、射出成型加工、レーザー加工、型押しおよび硬化による方法、ディスペンス法など、様々な方法を単独で、または、適宜組み合わせて行うことができる。
【００４９】
特に、金型ロールを用いた型押しおよび硬化による方法で、複数の単位プリズム１２と仕切部１７とを同時に形成する場合、あらかじめ仕切部に対応するパターンを含めた凹凸パターンが形成された金型ロール冶具を、均一な厚みになるように光硬化性樹脂が第１面１１ａの上に塗布された光透過性基材１１に押し当てながら搬送し、所定の光を光透過性基材１１の第２面１１ｂ側から当該樹脂に照射することにより、当該光硬化性樹脂を硬化させて、金型ロールに形成されたパターンの逆形状のパターンである単位プリズム１２および仕切部１７の形状が繰り返し転写された構造体を連続的に形成し、その後、離型ロールによって金型ロールから当該構造体を離型する方法をとることができる。このような製造方法をとると、光透過性樹脂１１に単位プリズム１２と仕切部１７とを同時に同一工程で繰り返し形成することができ、構造体を連続的に長尺のロールとして製造することができる点で量産性に優れていることに加え、単位プリズム１２に対する仕切部１７の相対的な位置精度も保証され、仕切部１７がない場合の製造と比べてもリードタイムがほとんど変わらないという効果も得られる。
【００５０】
また、先に光透過性基材１１に単位プリズム１２が繰り返し形成された構造体を製造した後で、別工程によって仕切部１７を追加的に形成する工程としてもよい。この場合、例えば、あらかじめ別工程で形成された仕切部１７を当該構造体の所定の位置にハンドリングし、これを、接着剤を介して単位プリズム１２側に接合する工程としてもよい。あるいは、光硬化性樹脂または熱硬化性樹脂を、当該構造体の所定位置でディスペンサーによって仕切部１７の形状となるように描画塗布し、これを光照射または加熱をすることによって硬化させる工程としてもよい。
【００５１】
仕切部１７の、単位プリズム１２の延在方向、すなわちＹ方向の厚みは、特に制限がないが、１０μｍ〜５０ｍｍの範囲であることが好ましく、特に２０〜２００μｍの範囲であることが好ましい。仕切部１７の厚みが１０μｍより薄いと、仕切部の加工が微細となり精度が低下したり、密閉性が保てないおそれがあり、一方、５０ｍｍより厚いと、光学的な性能が不十分となったり仕切部を成型するに際して金型からの離型性に問題が生じるおそれがあるためである。また、仕切部１７の厚みが２０〜２００μｍの範囲である場合には、量産性と光学的な性能の両立が図れ、様々な用途の採光シートや採光具として汎用的に生産や使用ができる効果がある。
【００５２】
なお、仕切部１７は、例えば、採光具１００を形成する際に、粘着層１３を部分的に高熱を掛けて溶融させる等して、選択的に空隙を塞ぐことによって密閉空間を形成するという考え方もあり得るが、このような方法では、内部にガスが発生するなどして精度の良い密閉空間の形状を得ることが難しく、また、加熱温度のばらつきによっては十分な密閉効果が得られず、他の空隙や外気との通気性が残ってしまうおそれがある。さらには均一な形状や密度で仕切りを形成することが困難であることから、光学性能も大きくばらついてしまい、採光性能や出射光の視認性等にも悪影響を及ぼすことが予想される。よって、本開示のように、光透過性基材１１と粘着層１３とで複数の単位プリズム１２を挟み込む以前に、あらかじめ、仕切部１７を形成する方法をとることが好ましい。
【００５３】
（ｂ）採光シート
次に、採光シート１０について説明する。上述の光透過性基材１１、複数の単位プリズム１２および仕切部１７から形成される採光シートの主要部１０ａをそのまま採光シート１０としてもよい。この構造体を必要に応じて、窓ガラスに貼り付けて、採光具を形成してもよく、あるいは、ロールカーテンの生地に組み込んで使用してもよい。また、採光シート１０は、採光シートの主要部１０ａに様々な追加の層を付加することによって、機能性を高めることもできる。以下、これらの付加部分について説明する。
【００５４】
（ｉ）粘着層
粘着層１３は、図３（ａ）、（ｂ）に示すように、窓ガラス１０１に採光シート１０を粘着または接着するための層であるとともに、透明なシートである基材１９の表裏面に当該粘着層１３を設け、基材１９の窓ガラス１０１とは反対側の面の粘着層１３を単位プリズム１２と粘着または接着させることにより、単位プリズム１２と窓ガラス１０１との密着性を向上させ、採光シート１０としての耐久性を高めている。粘着層１３を構成する材料としては、光学的に透明であり、窓ガラス１０１に採光シート１０を接着できるものであれば特に限定されず、公知の粘着剤、接着剤、光硬化性樹脂、熱硬化性樹脂等を用いることができる。より具体的な例としては、例えばアクリル系の粘着剤を用いることができ、さらに具体的にはアクリル系共重合体とイソシアネート化合物とを組み合わせた粘着剤をあげることができる。ただし、粘着層１３を構成する材料は、採光シート１０の性質上、透光性、耐候性に優れた材料によることが好ましい。また、粘着層１３は、光学的に透明な感圧性接着剤を用いるものであってもよい。また、採光シート１０を窓ガラス等に貼らずに保管する場合には、粘着層１３の粘着力が外気と触れることによって低下することを防止するため、シリコーン等の離型剤を含む剥離フィルムを当該粘着層１３に貼っておいて、これを保護するようにしてもよい。
【００５５】
粘着層１３の厚みは特に限定されないが、１０〜１００μｍであることが好ましい。粘着層１３が薄すぎると窓ガラス１０１と採光シート１０との密着性が低下するおそれがあり、粘着層１３が厚すぎると当該粘着層１３の厚みを均一にすることが困難となるからである。
【００５６】
（ｉｉ）基材
基材１９は、図３（ａ）、（ｂ）に示すとおり、採光シートの主要部１０ａの、複数の単位プリズム１２が形成されている＋Ｘ方向側に上記の粘着層１３を介して積層される層であり、通常、基材１９の単位プリズム１２とは反対側、すなわち、さらに＋Ｘ方向側に粘着層１３が貼り込まれている。後者の粘着層１３が窓ガラス１０１等に貼り込まれることによって、採光具１００を形成することができる。基材１９があることにより、凹凸が形成されている単位プリズム１２の先端部にこしを与え、採光シート１０を窓ガラス１０１等にしっかりと密着させることができ、また、採光シート１０に強度的、環境的な耐久性を付与させることができる。ただし、基材１９はなくてもよい。基材１９は、光学的に透過性があればよく、例えば前述の光透過性基材１１と同様の材料であってもよい。基材１９の厚みは特に限定されず、例えば２５〜３００μｍ程度とすることができる。
【００５７】
（ｉｉｉ）接着層
接着層１４は、図３（ａ）、（ｂ）に示すように、光透過性基材１１の第２面１１ｂの側であって、当該光透過性基材１１に光拡散層１５を積層するために設ける層である。接着層１４は、光学的に透明であって光透過性基材１１と光拡散層１５とを接着可能な部材であればよく、任意の接着剤を用いることができる。接着層の材料としては、例えば、エチレン-酢酸ビニル共重合樹脂（ＥＶＡ）、ポリビニルブチラール樹脂（ＰＶＢ）、などの熱可塑性樹脂および熱硬化性樹脂等を用いることができ、これらの樹脂は単独で用いてもよく２種以上を併用して用いてもよい。中でも、ＥＶＡ、ＰＶＢの単独使用、またはＥＶＡおよびＰＶＢの併用が好ましい。接着層１４の厚みは特に限定されないが、１０〜１００μｍであることが好ましい。接着層１４が薄すぎると光透過性基材１１と光拡散層１５との密着性が低下するおそれがあり、接着層１４が厚すぎると当該接着層１４の厚みを均一にすることが困難となるからである。なお、光透過性基材１１と光拡散層１５のいずれかまたは両方が自己融着型の基材である場合は、特に接着層１４を設けずに熱プレス等によって、光透過性基材１１と光拡散層１５とを一体化させてもよい。
【００５８】
（ｉｖ）光拡散層
光拡散層１５は、図３（ａ）、（ｂ）に示すように、光透過性基材１１の第２面１１ｂの側に、接着層１４を介して積層された層であって、単位プリズム１２を通過して外部に出射する光を拡散させ、例えば室内に向けてムラのない均一な光を出射させようとするものである。光拡散層１５を光透過性を有する樹脂および光拡散粒子を含む層とする場合には、当該樹脂が母材となり、樹脂中に光拡散粒子が分散されており、光拡散粒子に当たった光を、光拡散粒子と樹脂との屈折率差により拡散させることができる。
【００５９】
光拡散層１５に含まれる樹脂としては、所望の光透過性を示し、光拡散粒子を保持および固定が可能であれば特に限定されず、例えば熱可塑性樹脂、硬化樹脂があげられる。硬化樹脂とは、電離放射線の照射により硬化した電離線硬化樹脂、加熱により硬化した熱硬化樹脂がある。電離線硬化樹脂としては、紫外線硬化樹脂、可視光線硬化樹脂、近赤外線硬化樹脂等があげられる。具体的な樹脂としては、例えば、特開２０１４−１１５６６９号公報、特開２０１２−１９９１７６号公報、特開２０１１−１８６０７４号公報、特開２００９−２３０１５５号公報、特開２００５−２４１９２０号公報等で開示される、光拡散層に用いられる樹脂と同様とすることができる。
【００６０】
また、光拡散粒子としては、樹脂の種類に応じて無機粒子、樹脂粒子、あるいは、これらの２種以上の混合系等の粒子を選択して用いることができる。具体的な無機粒子、樹脂粒子については、例えば、特開２０１４−１１５６６９号公報、特開２０１２−１９９１７６号公報、特開２０１１−１８６０７４号公報、特開２００９−２３０１５５号公報、特開２００５−２４１９２０号公報等で開示される、光拡散粒子と同様とすることができる。光拡散粒子の形状としては、例えば球状、回転楕円体状、多面体状、截頭多面体状、鱗片形状、針状形状等があげられる。また、粒度分布が単分散、多分散のいずれでもよく、好適な条件を適宜選択することができる。
【００６１】
光拡散粒子の平均粒径としては、所望の光拡散効果を発揮することが可能な大きさであればよく、中でも光が内部拡散される際にミー散乱を生じやすく、レイリー散乱および幾何学散乱を生じにくい大きさであることが好ましい。光拡散粒子の大きさが光の波長と同程度の場合、光拡散粒子はミー散乱を生じる。ここで、ミー散乱は、光の波長に対して相対的な粒子の大きさが大きくなると前方散乱が後方散乱に比べて増大する。このため、光拡散粒子の平均粒径をミー散乱が支配する大きさとすることで、光の前方散乱が生じやすくなるため、所望の光学特性を有することができるからである。具体的には、上記平均粒径が０．５〜２０μｍの範囲内であることが好ましい。光拡散粒子の平均粒径が上記範囲よりも大きいと、光の後方散乱が支配的に生じやすくなり、一方、上記範囲よりも小さいと、光拡散粒子による内部拡散が生じにくくなり、光拡散層が所望の機能を発揮できない場合があるからである。上記平均粒径は、個々の光拡散粒子が分散している場合は一次粒子径を意味し、個々の光拡散粒子が凝集している場合は二次粒子径を意味する。光拡散粒子の平均粒径は、レーザー回折式粒度分布測定装置により測定される。
【００６２】
また、光拡散層１５の別の態様として、光拡散層１５の表面が所望の表面粗さを示す凹凸形状を有するものであってもよい。本態様では、光拡散層１５の凹凸形状面に光が入射することで、外部拡散により上述の光学特性を示すことが可能となる。本態様の光拡散層１５の材料としては、所望の光透過性を示し、表面に凹凸形状を賦型可能な材料であればよく、例えば、硬化樹脂があげられる。具体的には、特開２０００−３５２６０７号公報に開示される電離放射線硬化型樹脂を硬化させた硬化樹脂があげられる。
【００６３】
光拡散層１５の厚さとしては、表面に外部拡散を生じさせ、所望の光学特性を発揮することが可能な凹凸形状を有することが可能な大きさであればよく、例えば３〜１０００μｍの範囲内、中でも１０〜３０μｍの範囲内が好ましい。本態様の光拡散層１５において、光拡散層の凹凸形状面において外部拡散が生じるための表面粗さとしては、光が外部拡散される際にミー散乱を生じやすく、レイリー散乱および幾何学散乱を生じにくい大きさであることが好ましい。具体的には、光拡散層の１０点平均粗さＲｚが１〜１０００μｍの範囲内であることが好ましい。光拡散層の１０点平均粗さＲｚが上記範囲よりも大きいと、光の後方散乱が支配的に生じやすくなり、一方、上記範囲よりも小さいと、光拡散層表面において外部拡散が生じにくくなり、所望の機能を発揮できない場合があるからである。
【００６４】
本態様の光拡散層の形成方法としては、上述した樹脂を含む光拡散層用組成物を光制御層等の表面に塗布し、塗膜を硬化して形成する方法、または塗膜を硬化して形成後、表面処理を施して表面粗さを調整する方法、押出成型、射出成型等によりシート状に形成後、表面処理を施して表面粗さを調整する方法等があげられる。表面処理方法としては、プラズマ処理、コロナ放電処理、ＵＶオゾン処理等の従来公知の方法を用いることができる。
【００６５】
（ｖ）その他の層
図３（ａ）、（ｂ）の断面図に示す採光シート１０の層構成はその一例にすぎず、採光シートの主要部１０ａに対して、図示した層構成に追加の層を適宜加えてもよく、または、図示した層構成の代わりに別の層を備えていてもよい。例えば、前述の光拡散層１５の、光透過性基材１１とは反対側である−Ｘ方向側に、追加の保護層やハードコート層を設けてもよく、光拡散層１５を設けずに、光透過性基材１１の第２面１１ｂ側に保護層やハードコート層を設けてもよい。
【００６６】
保護層は、光透過性基材１１とともに、単位プリズム１２や光拡散層１５を保護する機能を有する。保護層はこのような機能を有するものであれば、その材料は特に限定されることはないが、例えば上述した光透過性基材１１と同様の材料により形成することができる。
【００６７】
また、ハードコート層は、表面保護を目的として採光シート１０の最表面に設けられる層である。ハードコート層は透明な樹脂層として形成することができ、擦り傷、表面汚染に対する耐性の観点から、硬化性樹脂が硬化してなる樹脂硬化層として形成することが好ましい。具体的には電離放射線硬化型樹脂、その他公知の硬化性樹脂等を要求性能に応じて適宜採用すればよい。電離放射線硬化型樹脂としては、アクリレート系、オキセタン系、シリコーン系などがあげられる。例えば、アクリレート系の電離放射線硬化型樹脂は、単官能（メタ）アクリレートモノマー、２官能（メタ）アクリレートモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００６８】
また、ハードコート層には、耐汚染性向上の機能を追加してもよい。これは例えばシリコーン系化合物、フッ素系化合物などを添加することにより可能となる。さらにその他の機能として帯電防止性向上、撥水性向上、難燃性の機能を有するものとしてもよい。帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とを共存）などがあげられ、イオン導電タイプではリチウム塩系材料などがあげられる。撥水性向上のために用いることができる材料としては、フッ素系化合物などがあげられる。難燃性向上のために用いることができる材料としては、塩化ビニルや、ポリオレフィンに水和化金属を含有させた材料などがあげられる。
【００６９】
（ｃ）採光具
本実施形態の採光シート１０は、これを当該採光シート１０の一方の主面に形成されている粘着層１３を介して窓ガラス等に貼ることにより、採光具を形成することができる。例えば図３（ｃ）は、窓ガラス１０１に本実施形態の採光シート１０を貼った採光具１００を、＋Ｘ方向から、すなわち窓ガラス１０１を手前側として見た正面図である。また、図３（ａ）が、当該採光具１００をＹ方向において仕切部１７が存在しない場所でＹ軸に垂直な平面で切った断面の断面図であり、図３（ｂ）が、仕切部１７が存在する場所でＹ軸に垂直な平面で切った断面の断面図である。
【００７０】
本実施形態の採光シート１０を用いた採光具１００は、図３（ａ）のとおり、＋Ｘ方向側の＋Ｚ方向側、すなわち左斜め上方の所定の角度から入射する外光の入射光Ｌｉｎを窓ガラス１０１、粘着層１３、基材１９、粘着層１３および単位プリズム１２に通過させた後、当該単位プリズム１２と、空隙１６との界面である単位プリズム１２の下方側の斜面１２ｂで反射させ、これを単位プリズム１２、光透過性基材１１、接着層１４および光拡散層１５に通過させて、入射した角度とは異なる角度、例えば室内の上方の所定角度に向けて出射光Ｌｏｕｔとして出射させる。また、出射光Ｌｏｕｔは、光拡散層１５によって拡散反射されることにより、均等な光として室内に取り込まれる。なお、採光具１００および以降の採光具で例示する窓ガラス１０１は、ガラスに限定される必要はなく、透明性の高いアクリル樹脂等の樹脂製基材を含めた透明基材全般が適用可能であるが、あくまで説明の便宜上、窓ガラスとして説明する。
【００７１】
採光具１００の上下方向、すなわちＺ方向に並んで配列された単位プリズム１２と、粘着層１３との間に形成される空隙１６は空気で満たされているが、Ｙ方向に沿って、適宜仕切部１７が配置されている。仕切部１７は、この隣接する二つの単位プリズム１２に跨っており、当該隣接する二つの単位プリズム１２の一方の斜面１２ａと他方の斜面１２ｂとの両方の一部に当接している。よって仕切部１７は、当該隣接する二つの単位プリズム１２の斜面１２ａと１２ｂとが形成する溝部１８を部分的に塞いでいる。
【００７２】
これにより、図３（ｃ）に示すように、採光具１００のＹ軸に沿って隣接配置された仕切部１７どうしに挟まれた空隙１６は、互いに密閉されている。本開示の採光具１００では、左右の端部の上下方向沿いに、すなわち−Ｙ方向端部のＺ方向沿いと、＋Ｙ方向端部のＺ方向沿いとに、シール部１０２が形成されているが、これは必ずしも必要ではなく、完全に側面部分が密封されていなくてもよい。それぞれのシール部１０２の内側には一定の間隔で空隙１６を仕切るための仕切部１７が設けられているため、万一、シール部１０２の密閉性が破壊され、外気や水分が中に侵入するおそれが生じたとしても、採光シート１０の左右の両端部から近い位置に配置される仕切部１７によってそれ以上の侵入がせき止められ、内部に外気や水分が侵入することを効果的に抑制する。よって、採光具１００は、長期間使用したとしても、室外と室内の温度差によって結露が生じにくく、耐久性が劣化したり、水滴の付着によって採光性能が低下することが抑制される。
【００７３】
採光具１００に用いる本実施形態に係る採光シート１０の効果について、従来技術における採光シートおよび採光具と対比する。図４は、従来技術に係る採光シート２０の主要部２０ａの斜視図であり、図５（ａ）は、当該採光シート２０を窓ガラス１０１に貼った採光具２００をＹ方向に垂直な平面で切った断面の断面図であり、図５（ｂ）は当該採光具２００を＋Ｘ方向側、すなわち窓ガラス１０１側から見た正面図である。
【００７４】
従来技術に係る採光シート２０を用いた採光具２００は、図５（ａ）のとおり、所定の角度から入射した入射光Ｌｉｎを、単位プリズム１２と空隙１６との界面である斜面１２ｂで反射し、入射光とは異なる角度の出射光Ｌｏｕｔとして適宜、光拡散層１５による拡散等を経て室内に出射される。この点は、本実施形態の採光シート１０を用いた採光具１００と同様の効果である。一方、採光シート２０は、図５（ｂ）に示すとおり、窓ガラス１０１に粘着層１３を介して貼られた後、両端部の上下方向沿いにシール部１０２が形成される。
【００７５】
しかしながら、シール部１０２の形成は、窓ガラスに直接シール剤を塗布施工することによって、あるいは、シールテープを採光シート２０の両側面に貼ることによって行われるが、いずれも、施工時の作業者の技術、シール剤やシールテープの塗布量や加圧力や加熱温度等のばらつき、環境条件等によって、シール部１０２の密閉効果がばらついてしまい、その後の長期使用における安定的な内部空隙の気密性の維持を図ることは困難である。例えば、外部から水分Ｗ１がシール部１０２を通して採光シート２０の内部に侵入した場合、採光シート２０の内部の空隙１６は、Ｙ方向に沿って連通しているため、一旦内部に侵入した水分Ｗ２は、Ｙ方向の全域に行き渡ることになる。このように、従来技術の採光シート２０では、採光具２００のシール部１０２の一部が破壊されると、ただちにその領域の左右方向全域に水分が侵入することとなり、採光シート２０の耐久性の劣化や、当該領域が結露することによる採光性能の低下が進行するおそれがある。
【００７６】
これに対して、本実施形態に係る採光シート１０は、上述のとおり、隣接する二つの単位プリズムに跨って配置され、当該隣接する二つの単位プリズムの両斜面のそれぞれと部分的に当接し、当該両斜面が形成する溝部１８を部分的に塞ぐ仕切部１７を設けている。この仕切部１７が上下方向の各隣接単位プリズムについて、かつ、各々の隣接単位プリズムの左右方向の所定間隔について設けられていることにより、当該仕切部１７に挟まれた各々の空隙１６は密閉され、他の当該仕切部１７に挟まれた空隙１６とは隔絶されている。よって、採光具１００として使用したときにも、シール部１０２の形成は必須ではなく、また、当該シール部１０２の形成が密閉性の上で不完全であったとしても、その影響は極力低くすることができ、外気や水分の侵入する領域を極小化することができる。よって、長期使用時にも、採光シート１０の耐久性が維持され、結露等による採光性の低下も抑制される。
【００７７】
２．変形例
上述した実施形態に限定されることなく、種々の変形や変更が可能であり、それらも本開示の範囲内である。下記に、幾つかの変形例を挙げる。
【００７８】
（ａ）変形例（１）
変形例（１）の採光シートおよびこれを用いた採光具について説明する。図６は、変形例（１）に係る採光シート３０における、採光シートの主要部３０ａを示す斜視図と正面図であり、図６（ａ）が斜視図、図６（ｂ）が正面図である。採光シート３０は、隣接する二つの単位プリズムに跨って配置される仕切部の水平方向、すなわちＹ方向に沿った仕切部どうしの間隔が一定ではない点が第１実施形態の採光シート１０とは異なる。
【００７９】
単位プリズム１２のＹ方向に垂直な平面で切った断面の断面形状や隣接する二つの単位プリズム１２の対向する二つの斜面が形成する溝部１８の形状は第１実施形態の採光シート１０と同じであり、各々の仕切部１７ａの断面形状やＹ方向に沿った厚みも同じである。しかしながら、図６（ｂ）に示すとおり、隣接する二つの単位プリズム１２に跨る、Ｙ方向に沿った各仕切部１７ａどうしの間隔は同じではなく、例えばもっとも左端、すなわちもっとも−Ｙ方向側の仕切部１７ａと、これの＋Ｙ方向側に隣接する仕切部１７ａとの間隔をｄ１、後者の仕切部１７ａと、さらに＋Ｙ方向側に隣接する中央に配置される仕切部１７ａとの間隔をｄ２とするとき、ｄ２がｄ１よりも大きくなっている。また、中央に配置される仕切部１７ａと、それより＋Ｙ方向側に隣接する仕切部１７ａとの間隔は同じくｄ２であり、後者の仕切部１７ａと、さらに＋Ｙ方向側のもっとも右端に隣接する仕切部１７ａとの間隔はｄ１となっている。
【００８０】
変形例（１）の採光シートの主要部３０ａは、このように、Ｘ方向すなわち光透過性基材１１の第１面の法線方向から見たときに、Ｙ方向に沿って隣接する仕切部１７ａどうしの間隔は、採光シート３０の端部、すなわち採光シートの主要部３０ａの端部に近いほど短く、前記採光シートの中央部に近いほど長い構成となっている。図１３（ａ）は、この採光シートの主要部３０ａを含む採光シート３０を用いた採光具３００の側面図である。当該図のように、例えば、採光シートの主要部３０ａの＋Ｘ方向側に粘着層１３、基材１９および粘着層１３を順次積層し、これとは反対側の−Ｘ方向側に接着層１４を介して光拡散層１５を積層した採光シート３０を形成することができ、さらに、この採光シート３０の粘着層１３を窓ガラス１０１に貼り付けることによって採光具３００を形成することができる。
【００８１】
この採光具３００は、図３（ｃ）に示すような第１実施形態の採光シート１０を用いた採光具１００と同様に、採光シート３０を窓ガラス１０１に貼る際に左右の両端部にシール部１０２を設けることができるが、採光シート３０の両端部に近い領域であるほど、Ｙ方すなわち左右方向に隣接する仕切部１７ａどうしの間隔が短くなっているため、万一、シール部１０２から外気や水分が侵入したとしても、これらの侵入領域を両端部の狭い領域に限定することができ、採光シート３０の耐久性や採光性能の低下の影響をより低減することができる。また、採光シート３０の中央部付近は、外部からの外気や水分の侵入のおそれが少ないため、仕切部１７ａの間隔を広げることにより、当該仕切部１７ａ自体がもたらす採光性能への悪影響を抑制することができる。
【００８２】
仕切部１７ａの左右方向への配置数や間隔の取り方は例示したものに限らず、Ｙ方向に沿って隣接する仕切部１７ａどうしの間隔が採光シートの端部に近いほど短く、採光シートの中央部に近いほど長い構成となっていれば、どのような組み合わせであってもよい。なお、隣接する仕切部どうしの間隔とは、Ｘ方向すなわち光透過性基材１１の第１面１１ａの法線方向から各仕切部を正面視したときに、平面図形として見ることができる隣接する各々の仕切部の図心どうしを結んだ線分を、Ｙ軸すなわち単位プリズムの延在する方向に投影したときの線分の長さとする。
【００８３】
（ｂ）変形例（２）
次に、変形例（２）の採光シートおよびこれを用いた採光具について説明する。図７は、変形例（２）に係る採光シート４０における、採光シートの主要部４０ａを示す斜視図と正面図であり、図７（ａ）が斜視図、図７（ｂ）が正面図である。採光シート４０は、隣接する二つの単位プリズムに跨って配置される仕切部の水平方向、すなわちＹ方向に沿った仕切部の厚みが一定ではない点が第１実施形態の採光シート１０とは異なる。
【００８４】
単位プリズム１２のＹ方向に垂直な平面で切った断面の断面形状や隣接する二つの単位プリズム１２の対向する二つの斜面が形成する溝部１８の形状は第１実施形態の採光シート１０と同じであり、各々の仕切部１７の断面形状も同じである。しかしながら、図７（ｂ）に示すとおり、隣接する二つの単位プリズム１２に跨る、Ｙ方向に沿った各仕切部の厚みは同じではなく、例えばもっとも左端、すなわちもっとも−Ｙ方向側の仕切部１７ｄ、これより＋Ｙ方向側に隣接する仕切部１７ｃ、さらにこれより＋Ｙ方向側に隣接する仕切部１７ｂ、のそれぞれの厚みをｔ１、ｔ２およびｔ３とするとき、ｔ２はｔ３よりも大きく、かつ、ｔ１はｔ２よりも大きくなっている。また、この仕切部の厚みの関係は採光シートの主要部４０ａのＹ方向の中心を通るＺ軸に対して左右対称となっており、＋Ｙ方向に向けて離れた配置にある仕切部ほど、その厚みが大きくなっている。
【００８５】
変形例（２）の採光シートの主要部４０ａは、このように、Ｘ方向すなわち光透過性基材１１の第１面１１ａの法線方向から見たときに、Ｙ方向に沿って隣接する仕切部のＹ方向に沿った厚みは、採光シート４０の両端部、すなわち採光シートの主要部４０ａの両端部に近いほど厚く、前記採光シートの中央部に近いほど薄い構成となっている。図１３（ｂ）は、この採光シートの主要部４０ａを含む採光シート４０を用いた採光具４００の側面図である。この場合も、変形例（１）と同様の構成で採光シート４０および採光具４００を形成することができる。
【００８６】
この採光具４００は、変形例（１）と同様に、採光シート４０を窓ガラス１０１に貼る際に左右の両端部にシール部１０２を設けることができるが、採光シート４０の両端部に近い位置に配置される仕切部ほど、その厚みが厚くなっているため、万一、シール部１０２から外気や水分が侵入したとしても、これらの侵入領域を両端部に近い位置に配置された厚みの大きい仕切部によって確実に密閉し、その内側の空隙とは隔絶させることができる。よって、採光シート４０の耐久性や採光性能の低下の影響をより低減することができる。また、採光シート４０の中央部付近は、外部からの外気や水分の侵入のおそれが少ないため、仕切部の厚みを薄くすることにより、当該仕切部自体がもたらす採光性能への悪影響を抑制することができる。
【００８７】
仕切部の左右方向への配置数や間隔の取り方はこれに限らない。なお、仕切部のＹ方向すなわち単位プリズムの延在方向の厚みとは、Ｘ方向すなわち光透過性基材１１の第１面１１ａの法線方向から各仕切部を正面視したときに、平面図形として見ることができる仕切部のＹ軸すなわち単位プリズムの延在する方向に沿った最大幅を意味するものとする。
【００８８】
（ｃ）変形例（３）
ついで、変形例（３）の採光シートおよびこれを用いた採光具について説明する。図８は、変形例（３）に係る採光シート５０における、採光シートの主要部５０ａを示す斜視図と正面図であり、図８（ａ）が斜視図、図８（ｂ）が正面図である。採光シート５０は、隣接する二つの単位プリズムに跨って配置される仕切部の水平方向、すなわちＹ方向に沿った仕切部が、当該採光シートの主要部５０ａおよび採光シート５０の両端部付近にのみ配置されている点が第１実施形態の採光シート１０とは異なる。これ以外の構成はすべて第１実施形態の採光シート１０と同様なため、詳細の説明は省略する。
【００８９】
図１３（ｃ）は、この採光シートの主要部５０ａを含む採光シート５０を用いた採光具５００の側面図である。この場合も、変形例（１）および（２）と同様の構成で採光シート５０および採光具５００を形成することができる。
【００９０】
この採光具５００も、変形例（１）、（２）と同様に、採光シート５０を窓ガラス１０１に貼る際に左右の両端部にシール部１０２を設けることができるが、採光シート５０の両端部に近い位置にのみ仕切部を配置しているので、万一、シール部１０２から外気や水分が侵入したとしても、これらの侵入領域を両端部に近い位置に配置された仕切部によって確実に密閉し、その内側の空隙とは隔絶させることができる。よって、採光シート５０の耐久性や採光性能の低下の影響を低減することができる。また、採光シート５０の中央側には、外部からの外気や水分の侵入のおそれが少ないため、仕切部を配置しないことにより、当該仕切部自体がもたらす採光性能への悪影響を大幅に抑制することができる。
【００９１】
（ｄ）変形例（４）
次に、変形例（４）の採光シートおよびこれを用いた採光具について説明する。図９は、変形例（４）に係る採光シート６０における、採光シートの主要部６０ａを示す斜視図と正面図であり、図９（ａ）が斜視図、図９（ｂ）が正面図である。採光シート６０は、隣接する二つの単位プリズムに跨って配置される仕切部の水平方向、すなわちＹ方向に垂直な平面に対して傾いて配置されている点が第１実施形態の採光シート１０とは異なる。
【００９２】
図９（ａ）、（ｂ）に示すように、＋Ｚ方向にもっとも近い側で隣接する二つの単位プリズム１２の対向する二つの斜面を部分的に塞ぐ仕切部は、水平方向に垂直な平面に対して、それぞれが異なる傾きをもって傾いて配置されている。すなわち、もっとも−Ｙ方向側に配置される仕切部１７ｆは、＋Ｘ方向から正面視したときに、その軸線が、Ｚ軸に対して反時計回りに角度θａだけ傾いている。当該仕切部の＋Ｙ方向側に隣接する仕切部１７ｇは、同じく＋Ｘ方向から正面視したときに、その軸線が、Ｚ軸に対して時計回りに角度θｂだけ傾いている。また、当該仕切部のさらに＋Ｙ方向側に隣接する仕切部１７ｆは、その軸線がＺ軸に対して反時計回りに角度θａだけ傾いており、当該仕切部のさらに＋Ｙ方向側に隣接する仕切部１７ｇは、その軸線がＺ軸に対して時計回りに角度θｂだけ傾いている。
【００９３】
＋Ｚ方向に近い方から２番目および３番目の、隣接する二つの単位プリズムの仕切部は、上記の配置とは逆の関係となっており、−Ｙ方向側から順番に、各仕切部は、その軸線がＺ軸に対して時計回りに角度θｂの傾き、反時計回りに角度θａの傾き、時計回りに角度θｂの傾き、および、反時計回りに角度θａの傾きとなるように傾いて配置されている。このように、各仕切部は、＋Ｘ方向から正面視したときに上下、左右に隣接する仕切部とは異なる角度に傾くように配置されている。
【００９４】
仕切部の傾きと配置の関係は上述したものには限らず、例えば、＋Ｚ方向に近い方から１番目および２番目の、隣接する二つ単位プリズムの仕切部は、すべてにおいて、その軸線がＺ軸に対して反時計回りに角度θａの傾きを有し、＋Ｚ方向に近い方から２番目および３番目の、隣接する二つ単位プリズムの仕切部は、すべてにおいて、その軸線がＺ軸に対して時計回りに角度θｂの傾きを有するような配置であってもよい。また、例えば、各仕切部の軸線の傾きが、隣接する仕切部ごとに徐々に連続的な角度変化を持たせたような配置となっていてもよい。
【００９５】
また、本変形例の適用範囲は、＋Ｘ方向から正面視したときに、その軸線がＺ軸に対してどの程度傾いているか、ということにとどまらず、例えば、Ｚ方向から平面視したときに、その軸線がＸ軸に対して傾いている場合にも適用される。
【００９６】
図１３（ｄ）は、この採光シートの主要部６０ａを含む採光シート６０を用いた採光具６００の側面図である。この場合も、変形例（１）〜（３）と同様の構成で採光シート６０および採光具６００を形成することができる。
【００９７】
この採光具６００は、変形例（１）〜（３）と同様に、採光シート６０を窓ガラス１０１に貼る際に左右の両端部にシール部１０２を設けることができるが、万一、シール部１０２から外気や水分が侵入したとしても、これらの侵入領域を両端部に近い位置に配置された仕切部によって確実に密閉し、その内側の空隙とは隔絶させることができる。よって、採光シート６０の耐久性や採光性能の低下の影響をより低減することができる。また、採光シート６０の各仕切部は、Ｙ方向すなわち単位プリズムの延在する方向に垂直な平面に対して傾いて配置されている。具体的には、各仕切部をＸ方向から正面視したときに、仕切部の軸線がＺ軸に対して所定角度だけ傾いているか、または、各仕切部をＺ方向から平面視したときに、仕切部の軸線がＸ軸に対して所定角度だけ傾いている場合等がこの状況にあてはまる。
【００９８】
このように各仕切部に同様な、または異なる傾きを設けて配置することにより、当該仕切部自体がもたらす光学的な悪影響を相殺させ、低減させることができる。例えば、すべての仕切部を同一方向に傾けた場合には、採光シートから出射された光が特定方向に不快な模様や眩しさを生じさせるおそれがあるが、仕切部の傾きをそれぞれ異ならせたり、対称的に、あるいは非対称的に配置させることにより、光の仕切部によって生じる光学的な悪影響を互いに打ち消し合うようにして緩和させることができる。
【００９９】
なお、仕切部の軸心とは、Ｘ方向すなわち光透過性基材１１の第１面１１ａの法線方向から各仕切部を正面視したときに、平面図形として見ることができる仕切部のＺ方向に沿った上端、中央、下端の各位置におけるＹ軸すなわち単位プリズムの延在する方向に沿った仕切部の幅の中心位置を求め、各中心を結んだ線が、Ｚ軸に平行な場合は仕切部が傾いていないと判断し、それ以外は傾いていると判断することができる。あるいは、Ｚ方向すなわち単位プリズムの配列方向から各仕切部を平面視できるときには、平面図形として見ることができる仕切部のＸ方向すなわち光透過性基材１１の第１面１１ａの法線方向に沿った単位プリズムの先端側、中央、光透過性基材側の各位置におけるＹ軸すなわち単位プリズムの延在する方向に沿った仕切部の幅の中心位置を求め、各中心を結んだ線が、Ｘ軸に平行な場合は仕切部が傾いていないと判断し、それ以外は傾いていると判断してもよい。
【０１００】
（ｅ）変形例（５）
続けて、変形例（５）の採光シートおよびこれを用いた採光具について説明する。図１０は、変形例（５）に係る採光シート７０における、採光シートの主要部７０ａを示す斜視図と正面図であり、図１０（ａ）が斜視図、図１０（ｂ）が正面図である。採光シート７０は、隣接する二つの単位プリズムに跨って配置される仕切部の配置と、これとは異なる別の隣接する二つの単位プリズムに跨って配置される仕切部の配置とを、上下方向すなわちＺ方向から見た場合に、それぞれの仕切部が互いに重ならない位置に配置されている点が第１実施形態の採光シート１０とは異なる。
【０１０１】
図１０（ａ）、（ｂ）に示すように、＋Ｚ方向にもっとも近い側で隣接する二つの単位プリズム１２の対向する二つの斜面を部分的に塞ぐ仕切部は、水平方向に沿って等間隔に配置されている。また、＋Ｚ方向に近い方から２番目および３番目の、隣接する二つ単位プリズム１２の対向する二つの斜面を部分的に塞ぐ仕切部も、上述のとおり、水平方向に沿って等間隔に配置されている。しかしながら、＋Ｚ方向に近い方から２番目および３番目の、隣接する二つ単位プリズム１２に跨る仕切部１７ｈは、＋Ｚ方向にもっとも近い側で隣接する二つの単位プリズム１２に跨る仕切部１７ｈとは、水平方向において、異なる位置にずれて配置されている。
【０１０２】
すなわち、これらの仕切部を＋Ｚ方向から平面視かつ透視した場合に、隣接する二つの単位プリズムの組み合わせが異なる仕切部どうしが、重ならずに見える配置となっている。ただし、本変形例では、＋Ｚ方向にもっとも近い側で隣接する二つの単位プリズム１２に跨る仕切部と、＋Ｚ方向に近い方から３番目および４番目の、隣接する二つの単位プリズム１２に跨る仕切部とは、水平方向において、同一に配置されている。このように、仕切部１７ｈの配置は、単位プリズム１２の列ごとに、互い違いに同一配置が繰り返されるようになっている。
【０１０３】
図１４（ａ）は、この採光シートの主要部７０ａを含む採光シート７０を用いた採光具７００の側面図である。この場合も、変形例（１）〜（４）と同様の構成で採光シート７０および採光具７００を形成することができる。
【０１０４】
この採光具７００は、変形例（１）〜（４）と同様に、採光シート７０を窓ガラス１０１に貼る際に左右の両端部にシール部１０２を設けることができるが、万一、シール部１０２から外気や水分が侵入したとしても、これらの侵入領域を両端部に近い位置に配置された仕切部によって確実に密閉し、その内側の空隙とは隔絶させることができる。よって、採光シート７０の耐久性や採光性能の低下の影響をより低減することができる。また、採光シート７０の各仕切部は、Ｙ方向すなわち単位プリズムの延在する方向に均等に配置され、かつ、Ｚ方向すなわち単位プリズムの配列方向についても、直線的に並んでおらず、左右に均等にずれた位置に配置されている。
【０１０５】
このように採光シート７０をＸ方向から正面視した場合に、各仕切部は、採光シート７０の平面上にまんべんなく均等に配置されることとなり、当該仕切部自体がもたらす光学的な悪影響を相殺させることができる。例えば、すべての仕切部を上下方向または水平方向に直線状に並べた場合には、採光シートから出射された光が特定方向に不快な模様や眩しさを生じさせるおそれがあるが、仕切部の配置が上下方向または水平方向に均等に離れた配置とした場合には、光の仕切部によって生じる光学的な悪影響を互いに打ち消し合うようにして緩和させることができる。
【０１０６】
（ｆ）変形例（６）
次に、変形例（６）の採光シートおよびこれを用いた採光具について説明する。図１１は、変形例（６）に係る採光シート８０における、採光シートの主要部８０ａを示す斜視図であり、図１２（ａ）が＋Ｘ方向から見た正面図、図１２（ｂ）および図１２（ｃ）が、図１２（ａ）におけるＣ−Ｃ断面を＋Ｙ方向から見た断面図、および、Ｄ−Ｄ断面を＋Ｙ方向から見た断面図である。採光シート８０は、基本的な仕切部の配置等は第１実施形態の採光シート１０と類似するが、単位プリズム２２の、光透過性基材２１からもっとも離れた先端部が、二つの頂部に分岐した構造をとる点、および、分岐した単位プリズム２２の先端部の小型の溝部にも同様の小型の仕切部を設けている点が相違する。
【０１０７】
単位プリズムの配置のピッチや高さについては前述したとおりであるが、単位プリズム２２の光透過性基材２１と接しているＺ方向の幅、すなわちピッチをｐ２２とし、当該単位プリズム２２の２つの頂部のうち、もっとも高い方の高さ、すなわち光透過性基材２１の第１面２１ａから、当該第１面２１ａの法線方向に沿った最大距離である高さをｈ２２とするとき、アスペクト比はｈ２２／ｐ２２で定義される。このアスペクト比は、１．８以下であることが好ましい。また、単位プリズム２２の分岐頂部２２ｇと底部２２ｄとを結ぶ斜面２２ａと、第１面２１ａの法線とのなす角、および、単位プリズム２２の分岐頂部２２ｈと底部２２ｄとを結ぶ斜面２２ｂと、第１面２１ａの法線とのなす角は、５〜２５°であることが好ましく、２重の頂部の一方である＋Ｚ方向側の分岐頂部２２ｇと分岐底部２２ｉとを結ぶ斜面２２ｅと、−Ｚ方向側の分岐頂部２２ｈと分岐底部２２ｉとを結ぶ斜面２２ｆと、がなす角は、１０〜１７０°であることが好ましい。これらの範囲であることにより、良好なグレアの改善効果が見込めるからである。ただし、これらの範囲を逸脱した単位プリズムとしてもよい。なお、分岐頂部２２ｇおよび２２ｈはＹ方向に沿って稜線を形成し、分岐底部２２ｉはＹ方向に沿って谷線を形成する。
【０１０８】
採光シートの主要部８０ａにおいて、仕切部１７ｉは、Ｚ方向に隣接する二つの単位プリズム２２どうしに跨って、当該二つの単位プリズム２２が形成する凹状の隙間である溝部１８ａを部分的にあるいは全体的に塞ぐように形成されており、かつ、仕切部１７ｉは、Ｙ方向に沿って等間隔に、Ｚ方向に沿って並ぶように配置されている。さらに、各々の単位プリズム２２の２重の分岐頂部２２ｇおよび２２ｈに挟まれる、対抗する２つの斜面２２ｅおよび２２ｆが形成する溝部１８ｂを部分的に塞ぐように、当該対抗する２つの斜面２２ｅおよび２２ｆのそれぞれと部分的に当接する追加の仕切部１７ｊが設けられている。単位プリズム２２の分岐頂部２２ｇおよび２２ｈのいずれか一方は、当該単位プリズム２２の中で光透過性基材２１の第１面２１ａからの距離がもっとも大きい場所となる頂部であり、他方が、これと同等の距離であるか、または、これより距離が小さくなるような場所となる頂部である。
【０１０９】
図１４（ｂ）は、この採光シートの主要部８０ａを含む採光シート８０を用いた採光具８００の側面図である。他の変形例等と同様に、採光シートの主要部８０ａの＋Ｘ方向側に採光シートの主要部３０ａの＋Ｘ方向側に粘着層１３、基材１９および粘着層１３を順次積層し、これとは反対側の−Ｘ方向側に接着層１４を介して光拡散層１５を積層した採光シート３０を形成することができ、さらに、この採光シート３０の粘着層１３を窓ガラス１０１に貼り付けることによって採光具３００を形成することができる。
【０１１０】
この採光具８００は、他の変形例等と同様に、採光シート８０を窓ガラス１０１に貼る際に左右の両端部にシール部１０２を設けることができるが、万一、シール部１０２から外気や水分が侵入したとしても、隣接する単位プリズム２２どうしが形成する溝部１８ａを塞ぐ仕切部１７ｉが設けられることによって、これらの侵入領域を両端部の狭い領域に限定することができ、採光シート８０の耐久性や採光性能の低下の影響をより低減することができる。また、当該採光シート８０では、２重の頂部の間に形成される小型の溝部１８ｂに対しても、これを塞ぐための仕切部１７ｊが追加的に設けられているので、この小型の溝部１８ｂによって形成される空隙についても、シール部１０２から外気や水分が侵入した場合に、これらの侵入領域を両端部の狭い領域に限定することができ、採光シート８０の耐久性や採光性能の低下の影響をさらにいっそう低減することができる。
【０１１１】
ただし、図示はしないが、採光シート８０においては、２重の頂部の間に形成される小型の溝部１８ｂによって内部に形成される空隙の領域は、隣接する単位プリズム２２どうしが形成する溝部１８ａによって形成される空隙と比べて非常に小さいため、仕切部１７ｉのみを設け、追加的な仕切部１７ｊを設けない構造とすることもできる。
【符号の説明】
【０１１２】
１０、２０、３０、４０、５０、６０、７０、８０  採光シート
１０ａ、２０ａ、３０ａ、４０ａ、５０ａ、６０ａ、７０ａ、８０ａ  採光シートの主要部
１１、２１  光透過性基材
１１ａ、２１ａ  第１面
１１ｂ、２１ｂ  第２面
１２、２２  単位プリズム
１２ａ、１２ｂ  斜面
１２ｃ  頂部
１２ｄ  底部
１３  粘着層
１４  接着層
１５  光拡散層
１６  空隙
１７、１７ａ、１７ｂ、１７ｃ、１７ｄ、１７ｅ、１７ｆ、１７ｇ、１７ｈ、１７ｉ、１７ｊ  仕切部
１８、１８ａ、１８ｂ  溝部
１９  基材
２２ａ、２２ｂ、２２ｅ、２２ｆ  斜面
２２ｇ、２２ｈ  分岐頂部
２２ｉ  分岐底部
１００、２００、３００、４００、５００、６００、７００、８００  採光具
１０１  窓ガラス
１０２  シール部
【図１】
2020052304.tif 000003
【図２】
2020052304.tif 000004
【図３】
2020052304.tif 000005
【図４】
2020052304.tif 000006
【図５】
2020052304.tif 000007
【図６】
2020052304.tif 000008
【図７】
2020052304.tif 000009
【図８】
2020052304.tif 000010
【図９】
2020052304.tif 000011
【図１０】
2020052304.tif 000012
【図１１】
2020052304.tif 000013
【図１２】
2020052304.tif 000014
【図１３】
2020052304.tif 000015
【図１４】
2020052304.tif 000016